(57)【要約】【課題】  本体装置の電源を一旦オフする必要がある場合でも、装置の使用者が手動で装置の電源をオフしなくても装置が自動的にオフすることを可能とし、操作者の手間を省き、破壊を防止する。【解決手段】  本発明は、本体装置のコネクタにオプションユニットが装着されない状態で、オプションユニットとの電気的な適合性の有無を判定し、適合性が確認された場合に本体装置の状態を該当するオプションユニットが装着可能な状態に遷移させる。【選択図】  図１
2008282333.tif 000002
【特許請求の範囲】
【請求項１】
電子回路を有する基板又はユニットを着脱可能な電子装置であって、前記着脱可能な基板又はユニットを接続するための接続手段と、前記基板又はユニットのＩＤ情報を非接触状態にて読み取る情報読み取り手段と、前記接続手段により接続された前記基板又はユニット上の電子回路を動作させるための電圧を供給する第1の電圧供給手段と、前記情報読み取り手段から前記基板に付加された記憶部へ非接触で電圧を供給する第２の電圧供給手段と、前記情報読み取り手段が読み取った、前記基板又はユニットのＩＤ情報に基づいて、前記着脱可能な基板又はユニットと前記電子装置とが適合するか否かを判定する判定手段と、前記電子装置上の前記接続手段の状態を制御する制御手段とを備え、
前記着脱可能な基板又はユニットと前記電子装置とが適合すると前記判定手段が判定した場合は、前記電子装置上の該当する前記接続手段のインターフェース部を接続可能な状態に遷移させるよう制御することを特徴とする電子装置。
【請求項２】
前記電子装置の主電源をオフする主電源オフ手段を備え、
前記着脱可能な基板又はユニットと前記電子装置とが適合すると前記判定手段が判定した場合で、前記電子装置上の該当する前記接続手段のインターフェース部の接続可能な状態が、前記電子装置の主電源をオフした状態である場合は、前記電子装置の主電源オフ手段によって前記電子装置の主電源をオフするように前記制御手段を制御することを特徴とする請求項１に記載の電子装置。
【請求項３】
前記電子装置は複数の前記接続手段を有し、前記接続手段は、前記電子装置と前記着脱可能な基板又はユニットを接続するための複数の信号線を有し、
前記着脱可能な基板又はユニットと前記電子装置とが適合すると前記判定手段が判定した場合で、前記電子装置上の該当するインターフェース部を接続可能な状態が、該インターフェースの非活性状態である場合は、該インターフェースを非活性状態にするように前記制御手段を制御することを特徴とする請求項１に記載の電子装置。
【請求項４】
前記電子装置は複数の前記接続手段を有し、前記接続手段は、前記着脱可能な基板又はユニット上の電子回路を動作させるための前記第１の電圧を供給する電源供給手段を有し、
前記着脱可能な基板又はユニットと前記電子装置とが適合すると前記判定手段が判定した場合で、前記電子装置上の該当するインターフェース部を接続可能な状態が、前記着脱可能な基板又はユニット上の電子回路を動作させるための前記第１の電圧を供給しない状態である場合は、前記基板又はユニット上の電子回路を動作させるための前記第１の電圧を供給しないよう前記制御手段を制御することを特徴とする請求項１に記載の電子装置。
【請求項５】
前記電子装置の使用者に装置の状態や操作方法を、表示や発光や音声によって伝えるための通知手段を備え、前記着脱可能な基板又はユニットと前記電子装置とが適合しないと前記判定手段が判定した場合は前記通知手段によって不適合であることを通知し、前記着脱可能な基板又はユニットと前記電子装置が適合すると前記判定手段が判定した場合は、前記着脱可能な基板又はユニットと前記電子装置が適合すること及び、前記着脱可能な基板又はユニットを装着する場所及び、前記着脱可能な基板又はユニットを前記電子装置に装着した場合に可能となる機能を通知することを特徴とする請求項１乃至４のいずれか１項に記載の電子装置。
【請求項６】
前記着脱可能な基板又はユニットが前記電子装置に接続された場合は、前記着脱可能な基板又はユニットに付加されたＩＤ情報保持部からＩＤ情報が読み取れなくなるようにＩＤ情報保持部を非活性化することを特徴とする請求項１及び２に記載の電子装置。
【請求項７】
前記着脱可能な基板又はユニットに付加されたＩＤ情報保持部から、前記情報読み取り手段を用いて非接触状態で読み取った、前記着脱可能な基板と前記電子装置とが適合するか否かを判定するための第１の判定情報を保持する保持手段を有し、前記着脱可能な基板又はユニットが前記電子装置に接続された事を前記接続手段を介して検知する検知手段を有し、前記着脱可能な基板又はユニットが前記電子装置に接続された事を検知したことを受けて、前記接続手段を介して読み取った前記着脱可能な基板又はユニットの第２の判定情報を前記保持手段に保持し、前記制御手段は、前記保持手段に保持された前記第１の判定情報と前記第２の判定情報が適合した場合は、前記基板又はユニットと前記電子装置のインターフェースを活性状態に遷移させることを特徴とする請求項１及び３に記載の電子装置。
【請求項８】
前記接続手段を介して前記検知手段によって、前記着脱可能な基板又はユニットが前記電子装置に接続された事を検知したことを受けて、前記制御手段は前記保持手段に保持された第１の判定情報と前記第２の判定情報が適合した場合は、前記着脱可能な基板上の電子回路を動作させるための前記第１の電圧を供給するよう前記制御手段を制御することを特徴とする請求項１及び４に記載の電子装置。
【発明の詳細な説明】
【技術分野】
【０００１】
本発明は、電子装置、及びその制御方法に関し、特にオプションボード等のボード類及びオプションユニットを、電子装置本体のコネクタに装着する場合の技術に関する。
【背景技術】
【０００２】
従来、パーソナルコンピュータ、ＭＦＰ（複合機、多機能プリンタ）等の電子機器では、将来の機能拡張に備えて、複数のオプションユニット用の複数のオプションコネクタをメインコントローラボードや装置本体に予め用意することが知られている。
【０００３】
この場合、接続されるオプションユニットに応じてインターフェース方式がそれぞれ異なり、インターフェースの方式に応じて本体電子機器の接続可能な状態もそれぞれ異なる。
【０００４】
例えばプログラムを実行するためのメモリーの場合はシステムバスに接続されるので、増設時には装置本体の主電源をオフする必要がある。また例えばシリアルインターフェースによって接続されるサブ基板の場合は増設時には本体の電源をオフする必要がなく、該当するインターフェース部のみ非活性状態にするか該当するインターフェース部の電源供給のみをオフすれば良い。
【０００５】
ここで仮に、装置本体の主電源をオフする必要があるオプションメモリーを増設する際に装置本体の主電源をオンしたままで行うと、電子機器本体やオプションメモリーを破壊してしまう可能性がある。また、装置本体の主電源をオフする必要がないインターフェースによって接続されるオプションユニットを装着する際に主電源をオフしてしまうと、立上げ時間を無駄に費やしてしまうことになる。
【０００６】
そこで、オプションコネクタに駆動用の電源を供給せずに、当該コネクタと当該コネクタに装着されたボード類との電気的な適合性の有無を判定し、適合性が認められた場合にオプションコネクタに駆動用の電源を供給する方式が実現されている（例えば、特許文献１参照）。
【特許文献１】特開２００５−１５７５５１号公報
【発明の開示】
【発明が解決しようとする課題】
【０００７】
しかしながら上記従来例のように、予め本体装置からオプションユニットに電源を供給しない状態にしておき、オプションユニットと本体装置の適合性を判定した後に本体装置からオプションユニットに電源を供給する方式では、例えばシステムバスに接続されてプログラムを実行するためのオプションメモリーのようなものでは、該当するインターフェース部のみの電源供給をオフした状態で立ち上がることはできず適応できない。また、本体装置の電源オン後にオプションメモリーを追加しようとした場合は、オプションメモリーと本体装置の適合性があると判定された場合でも、本体装置の電源を一旦オフする必要がある。そして従来例においてはこのような場合を想定しておらず、装置の使用者が手動で装置の電源をオフするものであった。またオプションメモリー増設後も該オプションメモリーのＩＤ情報は読み取ることができる状態を維持していた。
【０００８】
そこで、本発明は、本体装置の当該コネクタにオプションユニットが装着されない状態で、オプションユニットとの電気的な適合性の有無を判定し、適合性が確認された場合に本体装置の状態を該当するオプションユニットが装着可能な状態に遷移させることができる電子装置、及びその制御方法を提供し、本体装置の電源を一旦オフする必要がある場合でも、装置の使用者が手動で装置の電源をオフしなくても装置が自動的にオフすることを可能とし、操作者の手間を省き、破壊を防止することを目的とする。またオプションメモリー増設後は、該オプションメモリーのＩＤ情報は読み取ることができない状態にすることにより、既に接続済みであるオプションメモリーを検知して本体装置の主電源をオフすることがないように構成するものである。
【課題を解決するための手段】
【０００９】
上記課題を解決するため、本発明は、電子回路を有する基板又はユニットを着脱可能な電子装置であって、前記着脱可能な基板又はユニットを接続するための接続手段と、前記接続手段により接続された前記基板上の電子回路を動作させるための電圧を供給する電圧供給手段と、前記基板とのインターフェースを制御するインターフェース制御手段と、前記基板に付加された記憶部から前記基板と前記電子装置とが適合するか否かを判定するための判定情報を読み取る読み取り手段と、前記読み取り手段が読み取った前記判定情報に基づいて、前記基板と前記電子装置とが適合するか否かを判定する判定手段と、前記基板と前記電子装置とが適合すると前記判定手段が判定した場合は、前記基板を接続する前記電子装置の前記インターフェース手段を接続可能な状態に遷移させるように前記電圧供給手段及び前記インターフェース制御部を制御する制御手段とを有するように構成されている。
【００１０】
そして前記電子装置上の該当する前記接続手段のインターフェース部の接続可能な状態が、前記電子装置の主電源をオフした状態である場合は、前記電子装置の主電源オフ手段によって前記電子装置の主電源をオフするように前記制御手段を制御するように構成され、前記基板の増設後は、前記基板のＩＤ情報は読み取ることができない状態にすることにより、既に接続済みである前記基板のＩＤ情報を検知して本体装置の主電源をオフすることがないように構成するものである。
【発明の効果】
【００１１】
本発明によれば、オプションユニットを本体電子装置の当該コネクタに装着しない状態で電気的な適合性の有無を判定し得る電子装置及びその制御方法を提供し、装着する際には本体電子装置の電源をオフする必要があるようなオプションユニットを装着する際に、本体電子装置の電源をオンしたままオプションユニットを装着して本体電子装置やオプションユニットを破壊することを防止することが可能となる。また、オプションユニット装着時に装着する位置や方法をガイダンスをすることにより、作業者の作業量の削減も可能となる。
【発明を実施するための最良の形態】
【００１２】
以下、本発明を実施するための最良の形態を図面に基づいて詳細に説明する。
【００１３】
図１は、本発明を適用可能な印刷装置（ディジタル複合機：ＭＦＰ装置）の概略構成を示すブロック図である。
【００１４】
図１において、メインコントローラボード（図示省略）には、ＡＳＩＣ１００、ＣＰＵ１０１、バックアップ制御部１０２、オプションボード１０３用のオプションコネクタ１０４、オプションＲＡＭボード１０６用のオプションコネクタ１０７、ＲＯＭ１１０、ＥＥＰＲＰＭ１１２、ＤＣ電源ユニット１２６、水晶発振器１２７、リセットＩＣ１２８、及びＲＡＭ１２９が搭載されている。
【００１５】
ＣＰＵ１０１は、本ＭＦＰ装置の全体的な動作を制御するものである。ＲＯＭ１１０には、各種のフォントデータ、ブートプログラム等が格納されている。ＥＥＰＲＯＭ１１２には、本ＭＦＰ装置の各種の設定情報が格納される。ＲＡＭ１２９には、後述のハードディスク１１６に格納されたシステムプログラム（ＯＳ）、及びアプリケーションプログラムがＣＰＵ１０１の制御の下に展開されると共に、このＲＡＭ１２９は、ＣＰＵ１０１のワークエリアとしても利用される。
【００１６】
バックアップ制御部１０２は、電源ＯＦＦ状態、或いはスリープ状態でも、バックアップ電源（バッテリ）１２５から供給された電源により所定の処理を行うものである。なお、この所定の処理には、後述する図５のフローチャートのステップＳ２０４〜Ｓ２０６、Ｓ２０８、図６のフローチャートのステップＳ５０５〜Ｓ５０７、Ｓ５０９、図７のフローチャートのステップＳ７０５、Ｓ７０６等の処理も含まれており、この処理に係るアプリケーションプログラムは、バックアップ制御部１０２に内蔵されたＲＯＭ１０２ａに格納されている。
【００１７】
オプションボード１０３、オプションＲＡＭボード１０６には、それぞれＲＦＩＤ（Ｒａｄｉｏ  Ｆｒｅｑｕｅｎｃｙ  −Ｉｄｅｎｔｉｆｉｃａｔｉｏｎ）タグ１０３ａ、１０６ａが付加されている。また、オプションコネクタ１０４，１０７（そのスロット）の近傍には、それぞれＲＦＩＤタグ１０３ａ、１０６ａにデータアクセスするためのリーダ／ライタ１０４ａ、１０７ａが設けられている。なお、リーダ／ライタ１０４ａ、１０７ａは、オプションコネクタ１０４，１０７を収納したスロットに直接付加してもよい。
【００１８】
ＡＳＩＣ（Ａｐｐｌｉｃａｔｉｏｎ  Ｓｐｅｃｉｆｉｅｄ  ＩＣ）１００には、オプションボード１０３に対する入出力を制御するオプションボード・コントローラ１０５、オプションＲＡＭボード１０６及びＲＡＭ１２９に対するデータアクセスを制御するＲＡＭコントローラ１０８、印刷対象のデータをラスタライズする描画制御部１０９、ＲＯＭ１１０に対するデータアクセスを制御するＲＯＭコントローラ１１１、ＥＥＰＲＯＭ１１２に対するデータアクセスを制御するＥＥＰＲＯＭコントローラ１１３、ネットワークに対する入出力を制御するネットワークコントローラ（ＮＣ）１１４、ハードディスク１１６に対するデータアクセスを制御するディスクコントローラ１１５、プリンタエンジン１１８のプリント動作を制御するプリンタコントローラ１１７、スキャナエンジン１２０のスキャン動作を制御するスキャナコントローラ１１９、及び操作パネル１２６に対する入出力を制御するパネルコントローラ１２１が内蔵されている。
【００１９】
また、ＮＣ１１４には、ネットワークを介してパソコン１２３、プリントサーバ１２４が接続されている。また、バッテリ１２５からの電源は、バックアップ制御部１０２の他、リーダ／ライタ１０４ａ，１０７ａ、ＮＣ１１４、及びＤＣ電源ユニット１２６にも供給されている。ＤＣ電源ユニット１２６は、本ＭＦＰ装置を全体的に駆動する主電源として機能する。
【００２０】
なお、コントローラボード、又はそれ以外のボードに、オプションボード用のオプションコネクタを３つ以上設けてもよく、さらに、これらボードにオプションボード以外の拡張ボード、ＰＣカード等のオプションボード類用のオプションコネクタを設けてもよい。
【００２１】
図５は、図１で示したブロック図の中で特にオプションユニットとのインターフェース部だけを抜き出して一例を示したものである。図５において、１０３はネットワークオプションボードであり、１００のＡＳＩＣとシリアルインターフェースで接続されている。１０６はオプションＲＡＭボードであり、１００のＡＳＩＣとバスインターフェースで接続されている。１３０はＦＡＸオプションボードであり、１００のＡＳＩＣとシリアルインターフェースで接続されている。１３１はＩＤカードリーダーオプションユニットであり、１００のＡＳＩＣとシリアルインターフェースで接続されている、１３２はＵＳＢメモリであり、１００のＡＳＩＣとＵＳＢインターフェースで接続されている。
【００２２】
図６は、図５で示したオプションユニットとのインターフェースにおいて、オプションユニットの接続及び非接続、即ちオプションユニットを挿抜する際に本体側で対応する処理を示した対応表である。バスインターフェースであれば本体の主電源をオフする必要がある。ＵＡＲＴインターフェースであれば本体の主電源をオフする必要はなく、ＵＡＲＴ−Ｉ／Ｆ信号のみを非活性にすれば良い。シリアルインターフェースであれば本体の主電源をオフする必要はなく、シリアル−Ｉ／Ｆ信号のみを非活性にすれば良い。ＰＣＩインターフェースであれば本体の主電源をオフする必要はなく、ＰＣＩ−Ｉ／Ｆ信号のみを非活性にすれば良い。ＵＳＢインターフェースであれば本体の主電源をオフする必要もインターフェースを非活性にする必要もなく、活性状態のままで良い。
【００２３】
図７は、本発明を適用可能な印刷装置（ディジタル複合機：ＭＦＰ装置）のオプションユニットの一例を示す図である。７０１はディジタル複合機本体であり、無線タグ情報の受信手段を備える。７０２はスーパーＧ３ＦＡＸオプションボード、７０３はインナー２ウェイトレイ、７０４はフィニッシャー、７０５はパンチャーユニット、７０６はサドルフィニッシャー、７０７はサイドペーパーデッキ、７０８は２段カセットぺディスタル、７０９はＰＤＬ（ＬＩＰＳ／ＰＳ）拡張キット、７１０はネットワーク拡張キット、７１１は拡張ＤＲＡＭである。 該各種オプションユニットには、当該オプションボードの種類を示すモデル番号、バージョン番号、シリアル番号等のＩＤ情報（識別情報）、当該オプションボードと互換性のある、すなわち電気的な適合性のある各ＭＦＰ装置の機種を示すモデル名（番号）等のＩＤ情報が記録されている、無線タグ（ＲＦＩＤタグ）が搭載されている。
【００２４】
図２は、［ＲＦＩＤタグ］１０３ａ，１０６ａの構成を示すブロック図である。ＲＦＩＤタグ１０３ａ，１０６ａは、非接触ＩＣ、或いはデータキャリアとも呼ばれ、リーダ／ライタと無線で（すなわち非接触で）交信することが可能となっている。本実施形態では、ラベル型のＲＦＩＤタグを想定しており、このラベル型のＲＦＩＤタグ内には、以下のデバイスを内蔵した非接触ＩＣが貼り付けられている。
【００２５】
すなわち、ＲＦＩＤタグ（非接触ＩＣ）１０３ａ，１０６ａには、不揮発性メモリ２０１、電波を送受信するためのアンテナ部２０２、共振コンデンサ部２０３、電流の整流・平滑を行うための電力生成部２０４、電波の復調・変調を行うための復変調回路２０５、及び制御部２０６が形成されている。このＲＦＩＤタグ１０３ａ，１０６ａは、バッテリ等の電源を内蔵しておらず、リーダ／ライタから供給される電波に基づいて電力を誘電している。
【００２６】
すなわち、アンテナ部２０２は、共振コンデンサ部２０３との組み合わせで共振回路を形成している。一方、リーダ／ライタ１０４ａ，１０７ａは、後述するように、常時、電力生成用の電波（交流磁界）を発している。このリーダ／ライタ１０４ａ，１０７ａにＲＦＩＤタグ１０３ａ，１０６ａを近づけると、ＲＦＩＤタグ１０３ａ，１０６ａ内の上記共振回路には電磁誘導作用により誘導電流が発生する。この誘導電流は、電力生成部２０４に出力され、電力生成部２０４は、入力された誘導電流を整流・平滑して所定電圧の電力を生成し、不揮発性メモリ２０１、制御部２０６、復変調回路２０５に供給する。制御部２０６は、ＲＦＩＤタグ１０３ａ，１０６ａを全体的に制御するものである。
【００２７】
リーダ／ライタ１０４ａ，１０７ａは、電力生成用の電波信号の他に各種のデータに係る電波信号も同時に送信しており、このデータに係る電波信号は、復変調回路２０５によって復調され、制御部２０６の制御の下に不揮発性メモリ２０１に書き込まれる。また、制御部２０６は、不揮発性メモリ２０１からデータを読み出し、復変調回路２０５によって変調してアンテナ部２０２を介して電波信号として送信する。
【００２８】
図４は不揮発性メモリ２０１に記録されるＩＤ情報の一例を示し、ＲＦＩＤタグ１０３ａ，１０６ａの不揮発性メモリ２０１には、図４の実線で囲った部分に示したように、当該ＲＦＩＤタグ１０３ａ又は１０６ａが付加されたオプションボード１０３又はオプションＲＡＭボード１０６に関するボード情報として、当該オプションボードの種類を示すモデル番号、バージョン番号、シリアル番号等のＩＤ情報（識別情報）、当該オプションボードと互換性のある、すなわち電気的な適合性のある各ＭＦＰ装置の機種を示すモデル名（番号）等のＩＤ情報が記録されている。図４に示した互換性のあるＭＦＰ装置のモデル名は、派生製品としての新機種のＭＦＰ装置が後で発売されることも想定されるので、適宜更新することも可能である。なお、図４の右側の破線で囲った互換性有無フラグは、バックアップ制御部１０２のＲＡＭ（図示省略）に形成された互換性判定テーブル１０２４（図９参照）の情報項目を示している。すなわち、この互換性判定テーブル１０２４には、当該ＭＦＰ装置に設けられたオプションコネクタ１０４、１０７と電気的な適合性のある各オプションボードの種類を示すＩＤ情報、当該ＭＦＰ装置の機種を示すＩＤ情報と共に、互換性有無フラグが登録されている。ただし、互換性有無フラグは、後述する互換性の有無を判定した後にセットされるものである。
【００２９】
バックアップ制御部１０２は、ＲＦＩＤタグ１０３ａ又は１０６ａの不揮発性メモリ２０１からリーダ／ライタ１０４ａ，１０７ａにより読み出したＩＤ情報と、互換性判定テーブルのＩＤ情報とを照合することにより、オプションボード類と当該オプションボード類が装着されたオプションコネクタとの電気的な互換性（適合性）を判定する。なお、ＲＦＩＤタグ１０３ａ又は１０６ａには、動作電源電圧、適合機種名、動作スピード（周波数、バスアクセス時のウエイト数の設定値など）等の他の情報を追加して記録することも可能である。なお、オプションボード類に付加されたＲＦＩＤタグ（不揮発性メモリ）には、当該オプションボード類の種類を示すＩＤ情報、又は当該オプションボード類と電気的な適合性のある各ＭＦＰ装置の機種を示すＩＤ情報、又は当該オプションボード類と電気的な適合性のある各オプションコネクタの種類を示すＩＤ情報（図４の左側の破線で囲った部分参照）のうちの何れか１つだけを記録してもよい。
【００３０】
図３は、［リーダ／ライタ］１０４ａ，１０７ａの構成を示すブロック図である。リーダ／ライタ１０４ａ，１０７ａは、電波信号を送信するための送信アンテナ部３０１と、送信アンテナ部３０１から送信するデータ信号を変調する変調回路３０２と、電波信号を受信する受信アンテナ部３０３、受信アンテナ部３０３より受信した電波信号を復調する復調回路３０４、上位機器（本実施形態では、セキュリティサーバ１０３）との通信を行うＩ／Ｆ部３０６、及び制御部３０５を有しており、制御部３０５は、上記送信アンテナ部３０１、変調回路３０２、受信アンテナ部３０３、復調回路３０４、及びＩ／Ｆ部３０６を制御している。なお、送信アンテナ部３０１には、前述の電力生成用の電波を発するための交流電源３０７が接続されている。
【００３１】
制御部３０５は、セキュリティサーバ１０３からの指示により、変調回路３０２を用いて電力を供給するための電波、及び送信するデータを変調して、送信アンテナ部３０１を介して電波を発信させる。また、制御部３０５は、受信アンテナ部３０３で受信した電波信号を、復調回路３０４により復調させた後、データ信号として扱えるように変換することができる。
【００３２】
次に、オプションボユニット（オプションＲＡＭボードを含む）を装着する場合の操作及び処理を、図８のフローチャートに基づいて説明する。
【００３３】
図８において、ユーザがオプションボードをオプションコネクタに装着しようとしてＭＦＰ装置に近付けると、本体の給電部から非接触状態でオプションボード上の無線タグに電源供給が行われ、本体の情報読取手段によってオプションボードを検知し識別情報を読み出す（ステップＳ５０１）。
【００３４】
読み出した識別情報を適合性判定手段に入力し、近付いたオプションユニットがＭＦＰ装置に接続可能な型式のものであるかどうかの判定を行う。（ステップＳ５０２）。
【００３５】
近付いたオプションユニットがＭＦＰ装置に接続不可能な型式のものであった場合は、オプションユニットがＭＦＰ装置に接続不可能なものであることを表示部に表示したり音声で通知する。（ステップＳ５０３）。
【００３６】
近づいたオプションユニットがＭＦＰ装置に接続可能な型式のものであった場合は、オプションユニットが装着されるコネクター及び装着可能な状態を判定する（ステップＳ５０４）。近づいたオプションユニットが接続する際には本体装置の電源をオフする必要があるタイプの場合は、オプションユニットを装着する意思があるかどうかを表示部に表示したり音声でユーザーに確認する（ステップＳ５０５）。オプションユニットを装着する意思があることをユーザーがキー入力か音声で示したことが確認できたら、本体装置の主電源をオフして良いかどうかを表示部に表示したり音声でユーザーに確認する（ステップＳ５０６）。
【００３７】
本体装置の主電源をオフして良いことをユーザーがキー入力か音声で示したことが確認できたら、本体装置の主電源をオフする旨を表示部に表示したり音声でユーザーに通知してからオフする（ステップＳ５０７）。通電状態でのオプションボードの挿抜に伴う電気的破壊を防ぐために、ＭＦＰ装置の主電源がオフされた後にユーザーはオプションボードをオプションコネクタに装着する。ユーザはオプションボードをオプションコネクタに装着した後、ＭＦＰ装置の主電源をＯＮする。
【００３８】
近づいたオプションユニットがＭＦＰ装置に接続可能な型式のものであって、ステップＳ５０４で該オプションユニットが装着されるコネクター及び装着可能な状態を判定した結果、Ｉ／Ｆを非活性化する必要があるタイプの場合は、オプションユニットを装着する意思があるかどうかを表示部に表示したり音声でユーザーに確認する（ステップＳ５０８）。
【００３９】
オプションユニットを装着する意思があることをユーザーがキー入力か音声で示したことが確認できたら、該当するＩ／Ｆを非活性化する旨を表示部に表示したり音声でユーザーに通知してから、該当するＩ／Ｆのみを非活性化する（ステップＳ５０９）。
【００４０】
オプションユニットが電子装置に接続された事を（ステップＳ５１０）で検知したら、該当するＩ／Ｆを活性化する（ステップＳ５１１）。
【００４１】
近づいたオプションユニットがＭＦＰ装置に接続可能な型式のものであって、ステップＳ５０４で該オプションユニットが装着されるコネクター及び装着可能な状態を判定した結果、Ｉ／Ｆを非活性化する必要もなく、ＭＦＰ装置の状態は変えずに活性挿抜可能なタイプの場合は、そのままオプションユニットを装着可能であることを表示部に表示したり音声でユーザーに通知する（ステップＳ５１２）。
【００４２】
近付いたオプションユニットがＭＦＰ装置に接続不可能な型式のものであった場合は、（ステップＳ５０３）でオプションユニットがＭＦＰ装置に接続不可能なものであることを表示部に表示したり音声で通知するが、それでも万が一ユーザーがオプションユニットを装着しようとした場合は、本ＭＦＰ装置内の電子デバイスを電気的に破壊しないように、（ステップＳ５０９）と同等に該当するオプションボードＩ／Ｆを非活性化したり、（ステップＳ５０７）と同等に本体主電源をオフする処理を行う。
【００４３】
例えば、第１に、装着に係るオプションボードからの信号をメインコントローラボードに出力する出力信号ピンについては、電源投入後すべてＧＮＤ（グランド、アース）レベルに固定する、第２に、メインコントローラボードからの信号を装着に係るオプションボードに入力する入力信号ピンについては、ハイ・インピーダンス状態として信号をドライブしないようにする、第３に、メインコントローラボードが装着に係るオプションボードに電源を供給する電源ピンについては、電圧を上げずにＧＮＤレベルのまま保持しておく。
【００４４】
このような制御を行うことにより、ＭＦＰ装置の動作停止や誤動作、電子デバイスの故障や破壊を招くことなく、ＭＦＰ装置を起動させることができる。なお、これらの処理は厳密には、後述するブートプログラムに基づいてブート処理の一部として実行されるものである。
【００４５】
図１１は、図８のフローチャートの各ステップにおいて、本体装置の表示部（ＵＩ）に表示する文言の一例を示す図である。
【００４６】
図１１の１１１０は、図８のステップＳ５０５でオプションユニットを装着するかどうかをユーザーに確認する際に表示部に表示する文言の一例である。１１１１は、図８のステップＳ５０６で本体の主電源をオフしても良いかどうかをユーザーに確認する際に表示部に表示する文言の一例である。
【００４７】
１１２０は、図８のステップＳ５０８でオプションユニットを装着するかどうかをユーザーに確認する際に表示部に表示する文言の一例である。１１２１は、図８のステップＳ５０９でオプションユニットを装着可能な状態に遷移したことをユーザーに通知する際に表示部に表示する文言の一例である。
【００４８】
１１３０は、図８のステップＳ５１２でオプションユニットを装着可能な状態であることをユーザーに通知する際に表示部に表示する文言の一例である。
【００４９】
１１４０は、図８のステップＳ５０３でオプションユニットが装置本体に不適合か装着不可能な状態であることをユーザーに通知する際に表示部に表示する文言の一例である。
【００５０】
なお、図８のフローチャートでは、ステップＳ５０５でオプションユニットを装着するかどうかを、またステップＳ５０６で本体の主電源をオフしても良いかどうかをユーザーに確認しているが、該当するインターフェースコネクタ部をカバーしている扉が開かれたことを検知手段にて検知した場合など、オプションユニットが装着される事が予測できてかつ、破壊の危険性がある場合などは、ユーザーに確認する事無く装置本体の主電源をオフすることも考えられる。
【００５１】
また、ステップＳ５０８でオプションユニットを装着するかどうかをユーザーに確認しているが、該当するインターフェースコネクタ部をカバーしている扉が開かれたことを検知手段にて検知した場合など、オプションユニットが装着される事が予測できてかつ、破壊の危険性がある場合などは、ユーザーに確認する事無く装置本体の該当するインターフェースを非活性状態に遷移することも考えられる。
【００５２】
また、ステップＳ５０３でオプションユニットが装置本体に不適合か装着不可能な状態であることをユーザーに通知しているが、該当するインターフェースコネクタ部をカバーしている扉が開かれたことを検知手段にて検知した場合など、オプションユニットが装着される事が予測できてかつ、破壊の危険性がある場合などは、ユーザーに確認する事無く装置本体の主電源をオフすることも考えられる。
【００５３】
また、ユーザーに確認する事無く装置本体の主電源をオフする場合でも、装置本体がスリープ時であれば問題無くすぐにオフすることが可能であるが、プリント出力中であったり、プリント出力のためのスプール中であれば、プリント出力を待ってからオフするように制御することが考えられる。
【００５４】
図９は、バックアップ制御部１０２とＤＣ電源ユニット１２６の電源供給制御系の構成を示す図である。なお、図９では、３つのオプションコネクタが用意されている場合を想定している。図９において、各オプションコネクタ上の各リーダ／ライタ１０４ａ、１０７ａ、９００により、各オプションコネクタに装着されたオプションボード類上の各ＲＦＩＤタグから読み取られたボード情報は、バックアップ制御部１０２に入力される。バックアップ制御部１０２は、入力されたボード情報を互換性判定テーブル１０２４上で検索し、入力されたボード情報が互換性判定テーブル１０２４に登録されている場合は、互換性（適合性）有りと判定し、登録されていない場合は、互換性（適合性）無しと判定する。
【００５５】
そして、バックアップ制御部１０２は、互換性有りと判定した場合は、互換性判定テーブル１０２４上の当該オプションコネクタに対応する互換性有無フラグをＯＮし、互換性無しと判定した場合は、当該オプションコネクタに対応する互換性有無フラグをＯＦＦし、それらのフラグ値に応じたフラグ信号Ａ、Ｂ、Ｃを対応するＡＮＤゲート１０２１、１０２２、１０２３に供給する。この際、互換性が有る場合はＨｉｇｈレベル、互換性が無い場合はＬｏｗレベルのフラグ信号Ａ、Ｂ、Ｃを供給する。また、ＡＮＤゲート１０２１、１０２２、１０２３には、上記のｎＲＥＳＥＴ信号が供給されている。
【００５６】
ＤＣ電源ユニット１２６のＤＣ電源コントローラ１２６１には、ＡＣ−ＤＣコンバータ１２６２からのＤＣ電源が供給されており、ＤＣ電源コントローラ１２６１は、バックアップ制御部１０２から出力された給電許可信号Ａ＿ＯＮ信号、Ｂ＿ＯＮ信号、Ｃ＿ＯＮ信号に基づいて、対応するオプションコネクタの電源ピンへのＤＣ電源供給を制御する。
【００５７】
すなわち、ＤＣ電源コントローラ１２６１は、給電許可信号Ａ＿ＯＮ信号、Ｂ＿ＯＮ信号、Ｃ＿ＯＮ信号が給電許可を示すＨｉｇｈレベルの場合は、対応するオプションコネクタに対してそれぞれＤＣ電源（ＶｃｃＡ、ＶｃｃＢ、ＶｃｃＣ）を供給し、給電禁止を示すＬｏｗレベルの場合は、対応するオプションコネクタに対してそれぞれＤＣ電源（ＶｃｃＡ、ＶｃｃＢ、ＶｃｃＣ）を供給しないようにする。
【００５８】
このように、バックアップ制御部１０２は、各オプションコネクタと当該オプションコネクタに装着された各オプションボード類との電気的な適合性の有無に応じて、オプションコネクタ別に電源供給制御を行っている。
【００５９】
図１０は、オプションコネクタの電源ピン以外の信号ピンに対するドライブ制御系の構成を示す図である。なお、図１０は、オプションコネクタ１０４に対応するドライブ制御系だけを示しているが、他のオプションコネクタに対応するドライブ制御系も同様に構成されている。
【００６０】
図１０に示したように、給電許可信号Ａ＿ＯＮ信号は、オプションボード・コントローラ１０５において、アドレス信号ＡＤＤＲ、データ信号、アクセス制御信号（ｎＲＡＳ、ｎＣＡＳ、ｎＷＥ）用のスリーステートバッファ１００１、１００２、１００３のゲート制御信号として利用されている。
【００６１】
オプションコネクタ１０４に給電しない場合は、給電許可信号Ａ＿ＯＮ信号は、Ｌｏｗレベルになっているので、スリーステートバッファ１００１、１００２、１００３の出力側は、全てハイ・インピーダンスとなり、スリーステートバッファ１００１、１００２、１００３とオプションコネクタ１０４とは、電気的に切り離された状態となる。
【００６２】
このため、プルダウン抵抗１００４、１００５、１００６により、オプションコネクタ１０４の信号ピンは、Ｌｏｗレベル、すなわちＧＮＤと同じレベルになり、オプションコネクタ１０４との適合性のないオプションボード類がオプションコネクタ１０４に装着されたとしても、ＭＦＰ装置の動作停止や誤動作、電子デバイスの故障や破壊を招くことはない。
【００６３】
以上説明したように、本実施形態では、ボード情報を記録したＲＦＩＤタグをオプションボード類に付加し、オプションコネクタ上、又はその近傍にリーダ／ライタを設け、このリーダ／ライタによりＲＦＩＤタグからボード情報を読み出してオプションボード類とオプションコネクタとの電気的な適合性を判定している。即ち、オプションコネクタに駆動用の電源を供給することなく、オプションボード類とオプションコネクタとの電気的な適合性を判定している。
【００６４】
また、オプションボード類とオプションコネクタとの電気的な適合性がない場合は、オプションコネクタに対する電源供給、及び信号ドライブを禁止し、ＭＦＰ装置の動作停止や誤動作、電子デバイスの故障や破壊を招かないようにしている。
【００６５】
また、このような制御を行うことにより、適合外のオプションボード類がセットされないようその種別毎にオプションコネクタの形状を異ならせる必要もなくなり、オプションコネクタの物理的形状を統一することが可能となるので、製造コストも抑えることができるなど、種々の相乗効果が期待できる。
【００６６】
なお、本発明は、上記の実施形態に限定されることなく、例えば、ＭＦＰ装置以外のパソコン、プリンタ、サーバ装置等の電子機器にも適用することが可能である。また、オプションボード類以外の常備に係るボード類と、そのコネクタに本発明を適用することも可能である。
【００６７】
さらに、本発明の目的は、上記実施形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００６８】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００６９】
また、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明したフローチャートに対応するプログラムコードが格納されることになる。
【図面の簡単な説明】
【００７０】
【図１】本発明を適用可能なＭＦＰ装置の制御部の概略構成を示すブロック図である。
【図２】ＲＦＩＤタグの概略構成を示すブロック図である。
【図３】リーダ／ライタの概略構成を示すブロック図である。
【図４】ボード情報を示す図である。
【図５】オプションユニットとのインターフェース部の一例を示すブロック図である。
【図６】図５で示したオプションユニットとのインターフェースにおいて、オプションユニットを挿抜する際に本体側で対応する処理を示した対応表である。
【図７】本発明を適用可能な印刷装置（ディジタル複合機：ＭＦＰ装置）のオプションユニットの一例を示す図である。
【図８】オプションユニットが装置本体に近づいたことを検知し、オプションユニットを装置本体に装着する場合の操作及び処理を示すフローチャートである。
【図９】バックアップ制御部とＤＣ電源ユニットの構成を示す図である。
【図１０】オプションボード・コントローラの信号ドライブ系の構成を示す図である。
【図１１】図８のフローチャートの各ステップにおいて、本体装置の表示部に表示する文言の一例を示す図である。
【符号の説明】
【００７１】
１０１  ＣＰＵ
１０２  バックアップ制御部
１０２ａ  ＲＯＭ
１０３  オプションボード
１０３ａ、１０６ａ  ＲＦＩＤタグ
１０４、１０７  オプションコネクタ
１０４ａ、１０７ａ  リーダ／ライタ
１０５  オプションボード・コントローラ
１０６  オプションＲＡＭボード
１０８  ＲＡＭコントローラ
１２４  プリントサーバ
１２５  バッテリ
１２６  ＤＣ電源ユニット
１２８  リセットＩＣ
１０２４  互換性判定テーブル
【図１】
2008282333.tif 000003
【図２】
2008282333.tif 000004
【図３】
2008282333.tif 000005
【図４】
2008282333.tif 000006
【図５】
2008282333.tif 000007
【図６】
2008282333.tif 000008
【図７】
2008282333.tif 000009
【図８】
2008282333.tif 000010
【図９】
2008282333.tif 000011
【図１０】
2008282333.tif 000012
【図１１】
2008282333.tif 000013